(57)【要約】【課題】移動させる方向を容易に認識できる移動用シートを提供する。【解決手段】シート部材を筒状に形成した移動用シートであって、シート部材に、周方向を示す目印が、シート部材とは異なる色で設けられている。目印としては、シート部材に、周方向に延びるようにシート部材とは異なる色の糸が縫合されたり、周方向に延びシート部材とは異なる色の図柄が印刷される。【選択図】図１
2015029725.tif 000002
【特許請求の範囲】
【請求項１】
シート部材を筒状に形成した移動用シートであって、
シート部材に、周方向を示す目印が、シート部材とは異なる色で設けられていることを特徴とする移動用シート。
【請求項２】
前記目印として、シート部材に、周方向に延びるように、シート部材とは異なる色の糸が縫合されている請求項１に記載の移動用シート。
【請求項３】
前記シート部材は、両端部が周方向に延びる折り目で折り返されて、折り目を挟んでシート部材どうしが前記糸で縫合されている請求項２に記載の移動用シート。
【請求項４】
前記目印として、シート部材に、周方向に延び、シート部材とは異なる色の図柄が印刷されている請求項１〜３のいずれか一項に記載の移動用シート。
【請求項５】
前記目印が、シート部材に対して、色相角度が４５°以上異なる色で設けられている請求項１〜４のいずれか一項に記載の移動用シート。
【発明の詳細な説明】
【技術分野】
【０００１】
本発明は、患者や被介護者をベッド上で移動させたり、ベッドからストレッチャーや車いす等へ移動させることを容易にするための移動用シートに関するものである。
【背景技術】
【０００２】
従来、臥位状態や座位状態の患者や被介護者の移動を容易にするための移動用シートが知られており、例えば特許文献１〜３にそのような移動用シートが開示されている。移動用シートは筒状に形成されたシート部材から構成され、筒状の移動用シートを平面状にしてシート部材を２枚重ねた状態で、その上に患者や被介護者を寝た状態や座った状態で載せ、看護師や介護者が移動用シートを筒の周方向に移動させて、２枚重ねたシート部材を互いに滑らせるようにすることで、患者や被介護者を移動させることができる。移動用シートを用いれば、患者や被介護者をベッド上で移動させたり、ベッドからストレッチャー（あるいはその逆）に移動させたり、ベッドから車いす等へ移動させることを、大きな力を要することなく行うことができる。
【先行技術文献】
【特許文献】
【０００３】
【特許文献１】特開平１０−１７９６４２号公報
【特許文献２】特開２００３−２４５３１６号公報
【特許文献３】特開２００６−２３０７３４号公報
【発明の概要】
【発明が解決しようとする課題】
【０００４】
移動用シートは、一見すると単なる１枚のシートとしか認識できない場合があり、使用者が移動用シートの移動方向（すなわち筒の周方向）を認識せずに、方向を誤って患者や被介護者を移動用シートに載せてしまう場合がある。そのような場合、移動用シートを取り除いて正しい方向に置き直し、再度患者や被介護者を移動用シートの上に載せることは大変な作業になる。本発明は前記事情に鑑みてなされたものであり、その目的は、移動方向を容易に認識できる移動用シートを提供することにある。
【課題を解決するための手段】
【０００５】
前記課題を解決することができた本発明の移動用シートとは、シート部材を筒状に形成した移動用シートであって、シート部材に、周方向を示す目印が、シート部材とは異なる色で設けられているところに特徴を有する。本発明の移動用シートは周方向を示す目印が設けられているため、使用者が移動用シートの移動方向を容易に認識することができ、患者や被介護者を移動用シートの所望する位置に方向を間違わずに載せやすくなる。
【０００６】
移動用シートには、目印として、シート部材に、周方向に延びるように、シート部材とは異なる色の糸が縫合されていることが好ましい。目印が、シート部材に糸を縫合することにより設けられていれば、移動用シートを長期にわたって使用し続けても目印が取れにくくなり、目印の耐久性が高まる。
【０００７】
シート部材は、両端部が周方向に延びる折り目で折り返されて、折り目を挟んでシート部材どうしが、シート部材とは異なる色の糸で縫合されていることが好ましい。シート部材の両端部が折り返されていれば、使用者が両端部を掴みやすくなり移動用シートの取り扱い性が向上し、その際に折り返した両端部をシート部材と異なる色の糸で縫合することにより、シート部材に目印を簡便に設けることができる。
【０００８】
移動用シートには、目印として、シート部材に、周方向に延び、シート部材とは異なる色の図柄が印刷されていてもよい。このように目印を設けることにより、例えば、従来の移動用シートの製造設備を大きく改造することなく、移動用シートに簡便に目印を設けることができる。
【０００９】
目印は、シート部材に対して、色相角度が４５°以上異なる色で設けられていることが好ましい。目印が、シート部材と色相角度が４５°以上異なる色で設けられていれば、使用者が目印をすぐに認識しやすくなる。
【発明の効果】
【００１０】
本発明の移動用シートは周方向を示す目印が設けられているため、使用者が移動用シートの移動方向を容易に認識することができ、患者や被介護者を移動用シートの所望する位置に方向を間違わずに載せやすくなる。
【図面の簡単な説明】
【００１１】
【図１】移動用シートの例を表し、移動用シートの斜視図を表す。
【図２】移動用シートの例を表し、移動用シートの斜視図を表す。
【図３】移動用シートの例を表し、移動用シートの斜視図を表す。
【発明を実施するための形態】
【００１２】
本発明の移動用シートについて、図面を参照して説明する。なお、本発明は、図面に示された実施態様に限定されるものではない。図１〜図３は本発明の移動用シートの例を表し、移動用シートの斜視図を表す。
【００１３】
移動用シート１は、シート部材２を筒状に形成したものである。移動用シート１は、例えば、長方形のシート部材２を対向する端部（辺）どうしで接合することにより、筒状に形成される。移動用シート１は、筒形状を潰して平面状にした状態、すなわちシート部材２を重ねた状態で、患者や被介護者を載せ、上側のシート部材を下側のシート部材に対して周方向に滑らせることで、患者や被介護者を移動させて使用することができる。なお図面には示していないが、移動用シートは、筒形状の内部すなわち重ね合わせたシート部材間に、移動用シートの滑りを向上させるために、別のシート部材を配してもよい。
【００１４】
移動用シートの大きさは、臥位状態や座位状態の患者や被介護者を載せることができ、その状態で患者や被介護者を移動させる操作を行うことができる大きさであれば、特に限定されない。移動用シートの大きさとしては、例えば、周長が１００ｃｍ〜４００ｃｍ、幅が５０ｃｍ〜２５０ｃｍであればよい。なお移動用シートにおいて、幅方向とは、シート部材と同一面上にあり周方向と垂直な方向を意味する。
【００１５】
シート部材としては、織布、編布、不織布、プラスチックフィルム等のシート部材を用いることができる。なお、強度や滑りやすさを考慮すると、シート部材は織布または編布から構成されることが好ましい。シート部材として織布または編布を用いれば、シート部材の表面に細かい凹凸が形成され、シート部材どうしを滑りやすく形成することができる。また、移動用シートを使用する際にシート部材を強く引っ張っても、シート部材が破断したり伸長しにくくなる。シート部材としては、織布を用いることがより好ましく、いわゆる高密度織布を用いることが特に好ましい。
【００１６】
シート部材として織布または編布を用いる場合、織布または編布を構成する繊維は、レーヨン等の再生繊維、アセテート等の半合成繊維、あるいはポリエステルやポリアミド等の合成繊維を用いることが好ましい。特に、シート部材の強度や滑りやすさを考慮すると、ポリエチレンテレフタレート、ポリトリメチレンテレフタレート、ポリブチレンテレフタレート等のポリエステルや、ナイロン６、ナイロン６６等のポリアミドを用いることが好ましい。また、織布または編布は長繊維糸（フィラメント糸）から構成されていることが好ましい。
【００１７】
織布の織組織または編布の編組織は特に限定されず、公知の織組織または編組織を採用すればよい。織布の織組織としては、平織、綾織、朱子織等が挙げられる。編布の編組織としては、平編、両面編、ハーフ編等が挙げられる。
【００１８】
シート部材には、シート部材どうしの滑りやすさを向上させるために、フッ素系やシリコン系等の滑材が付与されてもよい。また移動用シートの衛生性を考慮して、シート部材に抗菌剤や消臭剤が付与されてもよい。シート部材は多層構造であってもよい。
【００１９】
本発明の移動用シート１には、シート部材２に、周方向を示す目印３がシート部材２とは異なる色で設けられている。すなわち、シート部材２の外側面にシート部材２とは異なる色で目印３が設けられ、使用者が目印３を視認することにより、シート部材２の周方向が認識できるようになっている。なお、シート部材の色とは、シート部材の地の色を意味する。
【００２０】
目印が周方向を示すようにするために、目印は周方向に延びる形状で設ければよい。すなわち目印は、周方向の長さが幅方向の長さよりも長くなるように、シート部材に設けられればよい。目印は複数設けられてもよく、この場合はそれぞれの目印が周方向に延びる形状で設けられることが好ましい。このように目印を設けることにより、使用者が移動用シートを移動させる方向を容易に認識することができ、患者や被介護者を移動用シートの所望する位置に方向を間違わずに載せることができるようになる。
【００２１】
目印としては、例えば、シート部材に、周方向に延び、シート部材とは異なる色の図柄を印刷すればよい。シート部材に図柄を印刷することにより、簡便に目印を設けることができ、例えば、従来の移動用シートの製造設備を大きく改造することなく移動用シートに目印を付与して、移動用シートの利便性を向上させることができる。
【００２２】
図１と図２には、目印として図柄を設けた例を示した。図１には、目印３としてシート部材２に図柄４が印刷され、図柄４として周方向に延びる矢印が描かれている。図１では、周方向に延びる矢印の図柄４が複数描かれており、移動用シート１の配置面に関わらず、図柄４から移動用シート１の周方向（移動方向）を認識できるようになっている。図２には、目印３としてシート部材２に図柄５が印刷され、図柄５として移動用シート１を周方向に１周する線が描かれている。図２においても、移動用シート１の配置面に関わらず、図柄５から移動用シート１の周方向（移動方向）を認識できるようになっている。なお、目印として設ける図柄は、図１と図２に示した例に限定されない。
【００２３】
目印としては、シート部材に、周方向に延びるように、シート部材とは異なる色の糸を縫合してもよい。目印が、シート部材に糸を縫合することにより設けられていれば、移動用シートを長期にわたって使用し続けても目印が取れにくくなり、目印の耐久性が高まる。
【００２４】
図３には、目印３として、シート部材２に糸６が縫合された例を示した。糸６は、移動用シート１の両端近傍（幅方向の両端近傍）に、移動用シート１を周方向に１周するように設けられている。すなわち、筒形状の開口縁に沿って、糸６がシート部材２に縫合されている。図３においても、移動用シート１の配置面に関わらず、糸６の延びる方向から、移動用シート１の周方向（移動方向）を認識できる。
【００２５】
シート部材２は、図３に示すように、シート部材２の両端部２Ｅが周方向に延びる折り目２Ｆで折り返されて（すなわち幅方向に折り返されて）、折り目２Ｆを挟んでシート部材２どうしが糸６で縫合されていることが好ましい。この際、シート部材２の両端部２Ｅは、筒形状の内側に向かって折り返されることが好ましい。シート部材２の両端部２Ｅが折り返されていれば、両端部２Ｅの剛性が高まって使用者が両端部２Ｅを掴みやすくなり、移動用シート１の取り扱い性が向上する。また、シート部材２が両端部２Ｅから破損しにくくなり、移動用シート１の耐久性を高めることができる。そして、シート部材２の両端部２Ｅの折り返しを保持するために、折り目２Ｆを挟んだシート部材２どうしを接合するのに、シート部材２とは異なる色の糸６でシート部材２どうしを縫合すれば、糸６が周方向を示す目印３として機能するようになる。そのため、シート部材２に目印３を簡便に設けることができる。
【００２６】
なお、図３に示した実施態様に限らず、例えば図１や図２に示した実施態様においても、シート部材の両端部を折り返して移動用シートを形成してもよく、この場合も移動用シートの取り扱い性を向上させ、また移動用シートの耐久性を高めることができる。
【００２７】
目印は、移動用シートの両端近傍（幅方向の両端近傍）に設けられることが好ましい。目印が移動用シートの両端近傍に設けられれば、移動用シートの上に患者や被介護者が載っても目印が隠れにくくなり、使用者が目印を認識しやすくなる。また、目印の上に患者や被介護者の身体が載ることが極力避けられ、移動用シートの使用に伴って目印が取れることも起こりにくくなる。目印は、例えば、少なくとも一部が、移動用シートの幅方向の両端から１５ｃｍ以内の範囲に設けられることが好ましく、１０ｃｍ以内の範囲に設けられることがより好ましく、５ｃｍ以内の範囲に設けられることがさらに好ましい。
【００２８】
目印は、シート部材と異なる色で設けられればよいが、目印はシート部材に対して、色相角度（ｈ）が４５°以上異なる色で設けられていることが好ましい。色相角度は、概ね、赤が０°、黄が６０°、緑が１２０°、水色が１８０°、青が２４０°、紫が３００°に配され、３６０°で再び赤に戻るように規定されている。色相角度はＬ＊Ｃ＊ｈ表色系で表したときの値を用いるものとし、分光測色計や色彩色差計を用いて測ることができる。目印がシート部材に対して、色相角度が４５°以上異なる色で設けられていれば、使用者が目印をすぐに認識しやすくなる。好ましくは、目印は、シート部材に対して、色相角度が６０°以上異なる色で設けられ、７５°以上異なる色で設けられることがさらに好ましい。
【００２９】
シート部材と目印の彩度（Ｃ＊）は特に限定されない。なお、シート部材は鮮やかな色を有している方が好ましく、それにより使用者が移動用シートを認識しやすくなる。シート部材の彩度（Ｃ＊）は、例えば１０以上が好ましく、２０以上がより好ましい。また、目印も鮮やかな色で設けられることが好ましく、目印の彩度（Ｃ＊）は、例えば１０以上が好ましく、２０以上がより好ましい。
【００３０】
シート部材と目印の明度（Ｌ＊）は特に限定されない。明度（Ｌ＊）は、色相に応じて取り得る範囲が変わるため、好適範囲を一概に定めることは難しいが、例えば１〜９９の範囲にあればよい。基本的に目印とシート部材とが互いに異なる色で設けられれば、それに応じて明度も変化し、両者を視覚的に区別できる。
【００３１】
目印とシート部材の色相角度差は４５°未満であってもよいが、この場合、目印はシート部材と明度（Ｌ＊）が２０以上異なることが好ましく、３０以上異なることがより好ましい。なお、目印の視認容易性を考慮すると、目印とシート部材の色相角度差は４５°以上であることが好ましい。
【符号の説明】
【００３２】
１：  移動用シート
２：  シート部材
３：  目印
４，５：  図柄
６：  糸
【図１】
2015029725.tif 000003
【図２】
2015029725.tif 000004
【図３】
2015029725.tif 000005